(57)【要約】カートンの取り出し口のところにディスペンサー（１００）を有するカートンであって、ディスペンサーがカートンの取り出し口端部からディスペンサーフラップ（１５５）を分離することにより開けられることによって取り出し口にディスペンサー開口部が形成され、ディスペンサーフラップ（１５５）がカートンのボトム部の取り付け部（１３６）に取り付けられて、物品が重力により取り出し口の方に動くようにカートンを傾斜させるようにしたものである。
2008519741.tif 000002
【特許請求の範囲】
【請求項１】
カートンを傾斜した姿勢に置く方法であって、
第１側部パネル；トップパネル；第２側部パネル；ボトムパネル；端部パネル；取り出し口パネル；少なくとも取り出し口パネルとトップパネルにあるディスペンサーフラップの輪郭を作るディスペンサーパターン；を準備し、
ディスペンサーフラップをカートンの残りの部分から分離して、ディスペンサーフラップが少なくとも取り出し口パネルとトップパネルにあるディスペンサー開口部を形成し、
そして、
ディスペンサーフラップが端部パネルのすぐ近くの取付け部となり、そこではディスペンサーフラップにより、水平からのカートンの傾き角を作る、
ことからなる方法。
【請求項２】
ディスペンサーフラップが取付け用の突起からなる、請求項１記載の方法。
【請求項３】
取付け部に取付け用突起を挿入することによりディスペンサーフラップが取付け部となる、請求項２記載の方法。
【請求項４】
取付け部が端部パネルのところ又はその近くの破り取れる破断線からなる、請求項３記載の方法。
【請求項５】
取付け部に取付け用突起を挿入する前に取付け部でディスペンサーフラップを折り曲げることからなる、請求項３記載の方法。
【請求項６】
ディスペンサーフラップがさらに取付け用突起に対して本質的に直角に伸びる基部からなり、カートンが傾斜した姿勢にあるとき、その基部はボトムパネルに隣接している、請求項３記載の方法。
【請求項７】
ディスペンサーフラップを切り離すことにより、第１及び第２側部パネルのディスペンサー開口部が形成される、請求項１記載の方法。
【請求項８】
取付け用突起を取付け部に取り付ける前にディスペンサーフラップを取付け用突起のところで折り曲げることからなる、請求項１記載の方法。
【請求項９】
複数個の物品をその中に配列したカートンを準備することからなる、請求項１記載の方法。
【請求項１０】
複数個の物品がほぼ円筒形の飲料容器及び花弁状の飲料容器の少なくとも１つからなる、請求項９記載の方法。
【請求項１１】
複数個の取り出し口フラップとカートンの端面でディスペンサーフラップの輪郭を作るディスペンサーパターンを有する取り出し口パネルを持つ平行六面体のカートンを準備し、
カートンの取り出し口にディスペンサー開口部を形成し、ディスペンサーフラップは取付け用突起を持つように、ディスペンサーフラップをカートンの取り出し口から分離し、
取り出し口と反対側のカートンの端部において取付け用突起を取付け部に挿入して、ディスペンサーフラップが水平に対してカートンの傾き角を作るようにする、
ことからなる、カートンを傾斜した姿勢に置く方法。
【請求項１２】
取付け用突起を取付け部に挿入する前にディスペンサーフラップを取付け用突起のところで折り曲げることからなる、請求項１１記載の方法。
【請求項１３】
取付け部が端部パネルのところ又はその近くの破り取れる破断線からなる、請求項１３記載の方法。
【請求項１４】
ディスペンサーフラップがさらに取付け用突起に対して本質的に直角に伸びる基部からなり、カートンが傾斜した姿勢にあるとき、その基部はボトムパネルに隣接している、請求項１２記載の方法。
【請求項１５】
第１の側部パネル；
第２の側部パネル；
トップパネル；
ボトムパネル；
端部パネル；
端部パネルと反対側にある取り出し口パネル；
少なくとも取り出し口パネルとトップパネルのところのディスペンサーフラップの輪郭を形成するディスペンサーパターン；及び
ディスペンサーフラップがカートンの残りの部分から分離したときディスペンサーフラップの少なくとも一部分を入れることのできるサイズの端部パネル又はその近くにある取付け部、
からなるカートン。
【請求項１６】
ディスペンサーフラップが取付け部に入れることができるサイズの取付け用突起からなる、請求項１５記載のカートン。
【請求項１７】
ディスペンサーフラップが、さらに取付け用突起に対して本質的に直角に伸びる基部からなる、請求項１６記載のカートン。
【請求項１８】
取付け部が端部パネルの近くの破り取れる破断線からなる、請求項１６記載のカートン。
【請求項１９】
ディスペンサーフラップが、さらに、取り出し口パネルに対してほぼ横向きに伸びる少なくとも１つの折り曲げ線からなる、請求項１６記載のカートン。
【請求項２０】
ディスペンサーパターンが、さらに、第１及び第２側部パネルのディスペンサーフラップの輪郭を形成する、請求項１５記載のカートン。
【請求項２１】
取り出し口パネルが、複数のオーバーラップした取り出し口フラップからなる、請求項１５記載のカートン。
【請求項２２】
さらに、トップパネルにハンドルのある、請求項１５記載のカートン。
【請求項２３】
カートンが平行六面体である、請求項１５記載のカートン。
【請求項２４】
請求項１５記載のカートンとカートンに配列された複数の物品の組合せ。
【請求項２５】
複数個の物品がほぼ円筒形の飲料容器及び花弁状の飲料容器の少なくとも１つからなる、請求項２４記載の組合せ。
【請求項２６】
第１の側部パネル；
第２の側部パネル；
トップパネル；
ボトムパネル；
ブランクの第１縁部に沿って広がる少なくとも１つの取り出し口フラップ；
ブランクの第２縁部に沿って広がる少なくとも１つの端部フラップ；
少なくとも取り出し口パネルとトップパネルのところのディスペンサーフラップ、トップパネル、第１側部パネル及び第２側部パネルの輪郭を形成するディスペンサーパターン；及び、ディスペンサーフラップの少なくとも一部を入れることのできる大きさの少なくとも１個の端部フラップのところ又はその近くにある取付け部、
からなるカートンブランク。
【請求項２７】
少なくとも１個の取り出し口パネルが、第１側部パネルに連結した第１側部の取り出し口フラップ及び第２側部パネルに連結した第２側部の取り出し口フラップからなり、ディスペンサーパターンが第１取り出し口フラップ及び第２取り出し口フラップを通って伸びている、請求項２６記載のブランク。
【請求項２８】
ディスペンサーパターンが、
第１側部取り出し口フラップをほぼ横向きに伸びている第１の折り曲げ線；及び、
第２側部取り出し口フラップをほぼ横向きに伸びている第２の折り曲げ線；
からなる、請求項２７記載のブランク。
【請求項２９】
取付け部がブランクの破り取れる破断線からなる、請求項２６記載のブランク。
【請求項３０】
第１側部パネル、第２側部パネル、トップパネル、及び底部パネルがほぼ矩形である、請求項２６記載のブランク。
【発明の詳細な説明】
【発明の開示】
【発明が解決しようとする課題】
【０００１】
物品を陳列するため又は分配するために、配置用の形状を持つ密封したカートンが、これまでに使われてきた。多くの場合において、配置用の形状の使用はカートンの構造的な完全さに否定的な影響を与え、そのカートンを再び閉じることを妨げることがある。そして、多くの従来からあるカートン配置用組立て品は構造的に弱く、過大な重量により比較的簡単につぶれてしまい、かつ／又は、カートンとしての望まれる安定性を備えていない。
【課題を解決するための手段】
【０００２】
関連出願
本出願は、２００５年２月１０日に出願した米国仮出願第６０／６５２，２４５号、２００５年３月１６日に出願した米国仮出願第６０／６６２，４２６号、２００４年１１月１２日に出願した米国仮出願第６０／６２７，２２１号の優先権を主張する。これらの出願の全内容は、ここに参照することによって本願に組み込まれている。
【０００３】
本発明の第１の態様によると、カートンは、カートンの取り出し口にディスペンサーを備えている。デイスペンサーはカートンの取り出し口からディスペンサーフラップを分離することによって開くことができ、それにより、取り出し口にデイスペンサー開口部が形成される。ディスペンサーフラップはカートンの底部裏側への取付け部としての役割を果たし、カートン内の物品が取り出し口に向って動くようにカートンを傾けるようにする。
【０００４】
本発明の第１の態様によると、ディスペンサー開口部によって、カートン内部に収容された物品は、利用者が容易にアクセスすることができるようになった。これにより、カートン内部に手を伸ばすことなくカートン内部から物品を取り出すことができる。
【０００５】
また、本発明の第１の態様によると、ディスペンサーフラップは、つぶれたり、大きく変形することがないように、比較的大きな重量を支えられるように形成できる。比較的高い強度のディスペンサーフラップにより、傾斜した姿勢のカートン中で飲料コンテナのような重量物を支持することができる。
【０００６】
開いたカートンの取り出し口は、カートンが傾いた姿勢をとっているときにカートンから不注意により物品が転がり出ないように、１個以上の支持壁を有することができる。
【０００７】
本発明の他の態様、形状、詳細は、下記の図面と付加した請求項に関連した例示的態様の詳細な説明を参照することによりさらに完全に理解することができる。
【０００８】
共通の例によると、以下に論じる図面の多くの形は必ずしもスケールどおりに描かれていない。図面中の多くの形や部品は、本発明をさらに明確に図解するために、拡大することができるし、また、縮小することができる。
【発明を実施するための最良の形態】
【０００９】
本発明をさらに完全に理解するために、以下に図面を伴って詳細な説明がされる。図面において、同じ参照番号は、それぞれ対応する部分を意味している。
【００１０】
本発明は、一般に、カートンのディスペンサー能力を高める、傾斜した形状を持つカートンに関するものである。本発明の傾斜した形状は、例えば、食品、飲料のような商品等を入れるカートンに使用することができる。その商品は、缶、瓶のような飲料容器、ＰＥＴ容器又は包装した食品のようなその他の容器を包含する。本発明の範囲を限定するためではなく、本発明の説明のために、以下の詳細な説明では、カートンの態様に含まれる、一般的な円筒状の飲料容器について記述する。本明細書において、「下部(lower)」、「底部(bottom)」、「上部(upper)」、「頂部(top)」という用語は、完全に組み立てたカートンについて決まる方向を意味している。
【００１１】
図１は、本発明の第１の態様によるカートン１９０（図２）を形成するのに使われるブランク８の平面図である。ブランク８は、第１の折り曲げ線２１で折り曲げてトップパネル２０に連結されている第１の側部パネル１０、第２の折り曲げ線３１で折り曲げてトップパネル２０に連結されている第２の側部パネル３０、及び第３の折り曲げ線４１で折り曲げて第１の側部パネル１０に連結されているボトムパネル４０からなる。粘着性のフラップ５０は、第５の折り曲げ線５１で折り曲げて第２の側部パネル３０に連結されている。ハンドル２６をトップパネル２０に付けることができる。
【００１２】
第１側部パネル１０は、折り曲げて、第１側部の取り出し口フラップ１２と第１側部の末端フラップ１４に連結されている。トップパネル２０は、折り曲げて、トップの取り出し口フラップ２２とトップの末端フラップ２４に連結されている。第２の側部パネル３０は、折り曲げて、第２の取り出し口フラップ３２と第２の側部末端フラップ３４に連結されている。ボトムパネル４０は、折り曲げて、ボトム取り出し口フラップ４２とボトム末端フラップ４４に連結されている。取り出し口フラップ１２，２２，３２，４２は、ブランク８の第１の末端領域に沿って伸びており、第２の縦の折り曲げ線６４に沿って結合することができる。縦の折れ線６２，６４は、直線の折り曲げ線であってよく、例えば、ブランクの厚みを調節するために１箇所以上で斜めになっていてもよい。カートン１９０を組み立てたとき、取り出し口フラップ１２，２２，３２，４２は、カートン１９０の正面又は取り出し口を閉じ、末端フラップ１４，２４，３４，４４は、カートン１９０の裏側の末端を閉じる。
【００１３】
ディスペンサーパターン１００がブランク８に形成され、組み立てたカートン（図２）のディスペンサー１５０の輪郭を示している。ディスペンサーパターン１００は、例えば、ディスペンサー１５０が開けられる破り取り線(tear lines)又は分離線(lines of disruption)によって形成することができる。ディスペンサー１５０が開けられたときに取り除かれたディスペンサーフラップ１５５は、カートン１９０を傾けた姿勢で置くのに使うことができる。
【００１４】
ディスペンサーパターン１００は、第１側部の取り出し口フラップ１２まで伸びる第１の末端破り取り線１０８と、第２側部の取り出し口フラップ３２まで伸びる第２の末端破り取り線１２８からなる。第１、第２の末端破り取り線１０８，１２８は、それぞれの末端で横に広がる部分に移行する、斜めに伸びた中央部分を持っている。第１、第２の末端破り取り線１０８，１２８により、組み立てたカートン１９０（図２）において末端保持壁１２５が形作られている。
【００１５】
第１の末端破り取り線１０８は、第１側部パネル１０に斜めに伸びている第１側部の破り取り線１０２又はその近くまで伸びている。第２の末端破り取り線１２８は、第２側部パネル３０に斜めに伸びている第２側部の破り取り線１２２又はその近くまで伸びている。
【００１６】
第１の縦の破り取り線１０４は、第１側部破り取り線１２２とトップパネル２０にある開け口１０６又はその近くまで伸びている。第２の縦の破り取り線１２４は第２側部の破り取り線１２２と開け口１０６又はその近くまで伸びている。第１の傾斜折り曲げ線１３２は第１破り取り線１０８から第１側部の取り出し口フラップ１２まで伸びている。第２の傾斜折り曲げ線１３４は第２破り取り線１２８から第２側部の取り出し口フラップ３２まで伸びている。第１の実施態様では、取付け部１３６はボトムパネル４０とボトム末端フラップ４４の間の折り曲げ線６４のところに形成されている。取付け部１３６は、ディスペンサーフラップ１５５と一緒になってカートン１９０（図７）を傾斜させるように働く。第１及び第２の切り込み線２６，２８がトップの取り出し口フラップ２２に形成されている。斜めの切り込み線２６，２８はディスペンサーフラップ１５５がトップ取り出し口フラップ２２の部分で変形して、ディスペンサー１５０を開けるとき容易に取り除くことができるようになっている。
【００１７】
図１において、ディスペンサーパターン１００の破り取り線１０２，１０４，１０８，１２２，１２４，１２８は、例えば、切り込み線(score)、切断線(cut)、裂け目(gap)、切断線(cut)／折り目(crease)、ミシン目(perforation)、斜めの切断(offset cut)、及びそれらの組合せにより形成される連続的又は本質的に連続的な破り取り線からできている。切断線が破り取り線１０２，１０４，１０８，１２２，１２４，１２８を形成するのに使われるとき、その切断線は、例えば、破り取れる切り目(breachable nicks)で中断されてもよい。傾斜折り曲げ線１３２，１３４は、ブランク８の、例えば、折り目、切断線／折り目、不連続な切れ目、切り込み線、その他の分裂線とすることができる。取付け部１３６は、通常、ブランク８の破り取れる切り目であり、それにより道具を使わずに開口部を形成することができる。例えば、取付け部１３６は、破線(tear line)、連続的な切れ目(continuous cut)、破り取れる切り目(breachable nicks)で中断されている切断線(cut)の形態をとることができる。取付け部１３６を作るのに、細長い、連続又は不連続の開口部を使うことができる。
【００１８】
図２は、組み立てたカートン１９０の斜視図である。カートン１９０は、例えば、フラップ５０に接着剤を付けて、粘着性のフラップ５０がボトムパネル４０と密着するようにブランク８を折り曲げることにより、ブランク８から組み立てることができる。カートン１９０を作るために、取り出し口フラップ１２，２２，３２，４２は内側に折り曲げられ、接着剤等を付けて、取り出し口パネル１２０を形成し、末端部のフラップ１４，２４，３４，４４は折り曲げられ、接着剤などを付けて末端パネル１３０が形成される。容器Ｃ（図７）又は他の物品は、末端パネル１２０，１３０の一方又は両方が形成されるのに先立ってカートンに入れられる。組み立てたカートン１９０では、ディスペンサーパターン１００によりカートンを傾斜させるための部品として使われるディスペンサーフラップ１５５の形状ができる。
【００１９】
図２に示されるように、第１及び第２末端の破り取り線１０８，１２８が取り出し口パネル１２０のほぼＵ字形の保持パネル壁１２５を形作っている。ディスペンサーフラップ１５５が取り除かれたとき、保持壁１２５は、もしそれがなかったらカートン１９０の取り出し口から容器又は物品が転がり出たりすることを防ぐための少なくとも部分的な障壁となる。
【００２０】
図３は、カートン１９０のディスペンサー１５０を開けるところを図示している。カートンディスペンサー１５０は、開け口１０６に指や他のものをを入れることによって開くことができる。開け口１０６は、ディスペンサー１５０を比較的容易に作れるように、例えば、切り込み線(score)、連続する切断線(continuous cut)及び／又は切り目で中断されている切断線(cuts interrupted with nicks)、その他の破り取れる破断線(breachable lines of disruption)でできている。ディスペンサーフラップ１５５は、破り取り線１０２，１０４，１０８，１２２，１２４，１２８（図１）に沿って破り取り除かれる。ディスペンサーフラップ１５５の側面の斜めの切り込み線２６，２８はカートン１９０から簡単に引っ張れるように、フラップがその末端でやや変形するようになっている。
【００２１】
図４は、ディスペンサー１５０を開けるときにカートン１９０の取り出し口から取り除いた後のディスペンサーフラップ１５５の斜視図である。ディスペンサーフラップ１５５は、下記で詳細に論じるように、カートン１９０の傾斜部品として使われる。第１の実施態様によると、取り外されたディスペンサーフラップ１５５は、取付け用の突起１６２、後側の壁１６４、及び取付け用突起に対しほぼ直角に向けられている基部１６６を持っている。取付け用の突起１６２は、傾斜折り曲げ線１３２，１３４に沿って裏側の壁１６４の方へ曲げることができる。
【００２２】
図５はカートン１９０の裏側を下から見た斜視図である。図５に示されるように、取付け部１３６は、カートン１９０の底部裏側に作られ、ボトムパネル４０及び末端パネル１３０のところ又はその近くにある。取付け用の突起１３５は、ディスペンサーフラップ１５５の取付け用の突起１６２を入れるようなサイズにされている。
【００２３】
図６は傾斜した姿勢で置かれたカートン１９０を図示している。カートン１９０を傾斜した姿勢で置くために、取付け用突起１６２は、図６に示されるように、最初、傾斜折り曲げ線１３２，１３４に沿って折り畳まれ、裏側の壁１６４に近接又は接触するようにする。取付け用突起１６２は、それからフラップ１５５の基部１６６がボトムパネル４０に接するまで取付け部１３６に差し込まれる。取付け用突起１６２は取付け部１３６への挿入が便利なように先細の形をしている。図６で、カートン１９０は、説明のため底部を上側にした形で示されている。実際、使用者は、カートン１９０が正立した状態では傾斜した姿勢で置き、ディスペンサーフラップ１５５を取り除いた後で形成されるディスペンサー開口部１５２（図７）から物品が出ないようにする。又は、ディスペンサー開口部１５２はカートン１９０が逆向きにある間カバーをされている。
【００２４】
図７は傾斜した姿勢に置かれたカートン１９０の側面図であり、図８は傾斜した姿勢に置かれたカートン１９０の部分的な斜視図である。図７に示されるように、ディスペンサーフラップ１５５は、カートン１９０の取り出し口から取り除かれたとき、ディスペンサー開口部１５２を残し、それが取付け部１３６に取り付けられると傾斜角αのカートン１９０ができる。傾斜角αにより、カートン１９０に入っている容器Ｃが重力の作用でカートン１９０の取り出し口の方へ転がるか、滑るか、又は進む。ディスペンサーフラップ１５５の形状及びそれに伴う傾斜角βの大きさは、フラップ１５５を取り除くことにより残る望ましいディスペンサー開口部１５２により、及び／又は、望ましい傾斜角αにより変化させることができる。例えば、角αは少なくとも約３度であることができる。他の態様としては、角αは少なくとも約５度であることができる。
【００２５】
上記の態様によると、カートン１９０の後側又は裏側にある容器は重力の作用でカートン１９０の前側又は取り出し口の方へ進み、利用者は容易に容器に届くようになる。このことにより、利用者はカートン内の物品に容易にアクセスできるようになる。上記の態様によると、ディスペンサーフラップ１５５の「面取り(corner cutout)」形状により、比較的大きいカートンの重量を壊すことなく支持することができるようになり、カートンのための安定な傾斜面を用意することができる。
【００２６】
図９は、本発明の第２の態様によるカートン３９０（図１０）を作るためのブランク２０８の平面図である。ブランク２０８は、第１の横向きの折り曲げ線２２１のところで折り曲げてトップパネル２２０に連結されている第１の側部パネル２１０、第２の横向きの折り曲げ線２３１のところで折り曲げてトップパネル２２０に連結されている第２の側部パネル２２０、及び、第３の横向きの折り曲げ線２４１のところで折り曲げて第１の側部パネル２１０に連結されているボトムパネル２４０からなる。粘着性のフラップ２５０を第５の横向きの折り曲げ線２５１のところで折り曲げて第１の側部パネル２１０に連結することができる。ハンドル２２６をトップパネル２０に付けることができる。カートンブランク２０８とカートン３９０は、前記のカートンブランク８とカートン１９０と大体同様のものであり、２つの態様における同様の又は同じ参照番号は同様の部品を示している。
【００２７】
ディスペンサーパターン３００はブランク８の中に作られ、それは、組み立てたカートン（図１０）におけるディスペンサー３５０の輪郭を示している。ディスペンサーパターン３００は、ディスペンサー３５０の全部又は一部が開けられるように破り取り線又は他の分離線で作られる。ディスペンサー３５０が開けられたとき、開口により取り除かれたディスペンサーフラップ３５５はカートン３９０を傾斜した姿勢で置くのに使用される。
【００２８】
ディスペンサーパターン３００は、第１側部の取り出し口フラップ２１２まで斜めに伸びる第１の末端破り取り線３０８と、第２側部の取り出し口フラップ２３２まで斜めに伸びる第２の末端破り取り線３２８からなる。第１、第２の末端破り取り線３０８，３２８は、ほぼ横に広がる部分で終わる、斜めに伸びた部分を持っている。第１、第２の末端破り取り線３０８，３２８は、組み立てられたカートン３９０（図１０）における末端保持壁３２５，３２７の輪郭を示している。
【００２９】
第１の末端破り取り線３０８は、第１側部パネル２１０をほぼ横に広がる第１側部の破り取り線３０２又はその近くまで伸びている。第２の破り取り線３２８は、第２側部パネル２３０をほぼ横に広がる第２側部の破り取り線３２２又はその近くまで伸びている。第１のほぼ縦に伸びる破り取り線３０４は、第１側部の破り取り線３０２又はその近くとトップパネル２２０の開け口３０６の間に伸びている。第２のほぼ縦に伸びる破り取り線３２４は、第２側部の破り取り線３２２又はその近くと開け口３０６の間に伸びている。第１の傾斜折り曲げ線３３２は、第１破り取り線３０８から第１側部の取り出し口フラップ２１２まで伸びている。第２の傾斜折り曲げ線３３４は第２破り取り線３２８から第２側部の取り出し口フラップ２３２まで伸びている。第２の実施態様では、取付け部３３６はボトムパネル２４０とボトム末端フラップ２４４の間の折り曲げ線２６４のところに形成されている。
【００３０】
切離し部分３２２は、ボトム取り出し口フラップ２４０に作ることができる。切離し部分３２２は、組み立てたカートン３９０の第１及び第２末端破り取り線３０８，３２８の向きを調整するように形が決められる。ボトム取り出し口フラップ２４２の切離し部分３２２により、ディスペンサーフラップ１５５がカートン３９０（図１０）から取り除かれたときカートン３９０の底部にある物品にカートン３９０の取り出し口からアクセスできるようになっている。
【００３１】
ディスペンサーパターン３００の破り取り線３０２，３０４，３０８，３２２，３２４，３２８は、例えば、切り込み線(score)、折り目(crease)、切断線(cut)、裂け目(gap)、切断線(cut)／折り目(crease)、ミシン目(perforation)、斜めの切断(offset cut)、及びそれらの組合せにより形成される連続的又は本質的に連続的な破り取り線からできている。切断線が破り取り線３０２，３０４，３０８，３２２，３２４，３２８を形成するのに使われるとき、その切断線は、例えば、破り取れる切り目(breachable nicks)で中断されてもよい。傾斜折り曲げ線３３２，３３４は、ブランク２０８の、例えば、折り目、切断線／折り目、不連続な切れ目、切り込み線、その他の分裂線とすることができる。取付け部３３６は、例えば、破線(tear line)、連続的な切れ目(continuous cut)、又は破り取れる切り目(breachable nicks)で中断されている切断線(cut)のような破り取れる線からなることができる。取付け部３３６を作るのに細長い、連続又は不連続の開口部を使うことができる。
【００３２】
図１０は、組み立てたカートン３９０の斜視図である。容器Ｃ（図１３）又は他の物品は、末端パネル３２０，３３０の一方又は両方が形成されるのに先立ってカートンに入れられる。組み立てたカートン３９０では、ディスペンサーパターン３００によりカートンを傾斜させるための部品として使われるディスペンサーフラップ３５５の形状ができる。カートン３９０は開け口３０６に指や他のものをを入れ、破り取り線３０２，３０４，３０８，３２２，３２４，３２８（図９）に沿って破り、それによってディスペンサーフラップ３５５を取り除くことによって開くことができる。破り取り線３０８，３２８が取り出しパネル３２０の末端支持壁３２５，３２７の輪郭を示している。末端支持壁３２５，３２７は、ディスペンサーフラップ３５５が取り除かれたときにカートン３９０から容器や他の物品が誤って転がり出たりすることを防いでいる。
【００３３】
図１１は、カートン３９０の取り出し口から取り除かれた後のディスペンサーフラップ３５５の斜視図である。外されたディスペンサーフラップ３５５は、取付け用の突起３６２、後側の壁３６４、及び取付け用突起３６２に対しほぼ直角に向けられている基部３６６を持っている。取り付け用突起３６２は、第１及び第２傾斜折り曲げ線３３２，３３４に沿って裏側の壁３６４の方へ曲げることができる。
【００３４】
図１２は、カートン３９０の裏側を下から見た斜視図である。図１２に示されるように、第２の実施態様では、取付け部３３６は、カートン３９０の底部裏側に作られ、ボトムパネル２４０及び末端パネル３２０のところ又はその近くにある。取付け部３３６は、ディスペンサーフラップ３５５の取付け用突起３６２を入れるようなサイズにされている。
【００３５】
カートン３９０はカートン１９０（図６）と同様に傾斜した姿勢で置くことができる。カートン３９０を傾斜した姿勢で置くために、取付け用突起３６２は、最初に、傾斜折り曲げ線３３２，３３４に沿って折り曲げられ、ディスペンサーフラップ３５５の裏側の壁３６４に近接又は接触するようにする。取付け用突起３６２は、それからフラップ３５５の基部３６６がボトムパネル２４０に接するまで取付け部３３６に差し込まれる。取付け用突起３６２は取付け部３３６への挿入が便利なように先細の形をしている。実際、使用者は、カートン３９０が正立した状態では傾斜した姿勢で置き、ディスペンサーフラップ３５５を取り除いた後形成されるディスペンサー開口部３５２（図１３）から物品が出ないようにする。利用者はまたカートン３９０を逆向きに置き、カートンから物品が出るのを防ぐために、ディスペンサー開口部３５２にカバーをしてもよい。
【００３６】
図１３は、傾斜した姿勢に置かれたカートン３９０の側面図で、図１４は、傾斜した姿勢に置かれたカートン３９０の部分的な斜視図である。図１３に示されるように、ディスペンサーフラップ３５５により、カートン３９０の傾斜角がβになる。傾斜角βにより、カートン３９０の中の容器Ｃが転がり、重力の作用でカートン３９０の取り出し口の方に進む。ディスペンサーフラップ３５５の形及びそれに伴う傾斜角βの大きさは、フラップ３５５を取り除くことにより残るディスペンサー開口部３５２の望ましい形、及び／又は、望ましい傾斜角βにより変えることができる。例えば、傾斜角βは少なくとも約３度であることができる。他の態様としては、角βは少なくとも約５度であることができる。
【００３７】
この明細書で論じられるカートン１９０，３９０は、１２個の略円筒形の１２オンス飲料容器Ｃを２段（図７及び１３では、水平に並んでいる。）及び６列（図７及び１３では、垂直に並んでいる。）に収容することができる。この配列は２×６配置として知られている。しかし、他のタイプの物品も本発明によりカートンに収容することができる。それらの物品としては、瓶、ＰＥＴ容器のような飲料容器や、パッケージされた食品に使用されているような他の円筒形の容器がある。モーターオイルや潤滑剤等のような非食品を入れた容器もこのタイプのカートンに自動的に入れることができる。本発明の原理はまた、３×４，４×３，２×４，２×５，４×６，４×５，３×６，５×６等を含む物品の外の配列にも同様に応用が可能である。
【００３８】
以上論じた実施態様では、ブランクは、クレーコート新聞用紙(clay coated newsprint)（ＣＣＮ）及びsolid unbleached sulfate（ＳＵＳ）板のような材料から作ることができる。一般に、ブランクは、普通の紙より重く、剛直であるように、少なくとも約１４の厚み(caliper)の板紙から作られる。ブランクとカートンは厚紙のような他の材料又はカートンにこれまでに少なくとも一般的に記載した機能を可能にするような適当な性質を持っている他の材料により作ることができる。カートンの第１及び第２側部は、例えば、クレーコーティングでコートすることができる。クレーコーティングはその上に製品、広告その他の情報を印刷することができる。ブランクは、その後ブランクに印刷された情報を保護するためにワニスでコートすることができる。ブランクはまた、ブランクの片面又は両面に、例えば、湿気バリヤー層をコートすることもできる。ブランクはまた、ラミネートすることもでき、また、選択したパネル、パネルの領域においてシート状の材料でコートすることもできる。
【００３９】
実施態様によると、折り曲げ線は、それに沿って折り曲げるのに便利なように本質的に線状であればよく、直線である必要はない。本発明の範囲を狭くするためではないが、特に、折り曲げ線は、材料のうち弱くした線に沿ってつぶれた部分を作り出す、切れ目を入れる鈍いナイフ(blunt scoring knife)等で付けた線のような折れ線(score line)、材料のうち弱くした線に沿って部分的に伸びる切れ目(cut)、及び／又は、材料のうち弱くした線に沿って部分的に及び／又は完全に伸びている一連の切れ目、それらの形状の種々の組合せを包含する。
【００４０】
破り取り線(tear line)は、それに沿って破り取るのに便利なように本質的に線状の分裂線(line of disruption)であればよく、直線の分裂線である必要はない。本発明の範囲を狭くするためではないが、特に、破り取り線は、材料のうち弱くした線に沿って部分的に伸びる切れ目(cut)、及び／又は、材料のうち弱くした線に沿って部分的に及び／又は完全に伸びている一連の切れ目、それらの形状の種々の組合せを包含する。さらに特別の例として、破り取り線の１タイプとしては、それぞれの近接する切れ目はわずかに離れていて、そのため、材料（例えば、「刻み目」(‘nicks’)）の橋のような形の小片の輪郭ができるようになっている、一連の切れ目がある。刻み目(nicks)は、破り取り線に沿って破り取るときに壊される。切り目を含むそのような破り取り線は、切断線(cut line)と呼ばれ(reffered to)、刻み目(nicks)は、典型的には切れ目(cuts)より相対的に小さい。
【００４１】
ここで使われている「線(line)」は、直線だけでなく、曲がった(curved)線、曲線(curvilinear)、折れ線(angularly displaced)のような他のタイプの線も含んでいる。
【００４２】
切断が折り曲げ線を作るときに使われる場合、典型的には、通常の利用者が間違って折り曲げ線が破り取り線であると考えるようなほど切断を過度に強くしてはならない。反対に、刻み目が切断線（例，破り取り線）の中にあるとき、刻み目は通常の利用者が間違って切断線が折り曲げ線であると考えるようなほど過度に大きくしたり、多くしてはならない。
【００４３】
以上の態様は、１以上のパネルが接着剤により互いに接着されているものを表すことができる。「接着剤(glue)」という用語は、板紙のカートンパネルを固定するのに使われる種々の粘着剤を含むことを意図している。
【００４４】
以上の明細書は本発明を説明し、記述している。さらに、開示した内容は発明の選択した態様を示し、記述するものであり、種々の他の組合せ、変形、周辺技術の使用が可能であること、及び、前述の教示に関連してここで明示した、及び／又は、関連技術の範囲にある本発明概念の範囲内での変更、変形が可能であることが理解されるべきである。
【図面の簡単な説明】
【００４５】
【図１】本発明の第１の態様によりカートンを形成するブランクの平面図
【図２】第１の態様によるカートンの上から見た斜視図
【図３】第１のカートンの態様のディスペンサーの開口の図示
【図４】第１のカートンの態様のディスペンサーフラップの斜視図
【図５】第１のカートンの態様の裏側の底部から見た部分斜視図
【図６】傾斜した姿勢に置かれた第１のカートンの態様の図示
【図７】傾斜した姿勢に置かれた第１のカートンの態様の側面図
【図８】傾斜した姿勢に置かれた第１のカートンの態様の部分斜視図
【図９】本発明の第２の態様によりカートンを形成するブランクの平面図
【図１０】第２の態様によるカートンの上から見た斜視図
【図１１】第２のカートンの態様のディスペンサーフラップの斜視図
【図１２】第２のカートンの態様の裏側の底部から見た部分斜視図
【図１３】傾斜した姿勢に置かれた第２のカートンの態様の側面図
【図１４】傾斜した姿勢に置かれた第２のカートンの態様の部分斜視図
【図１】
2008519741.tif 000003
【図２】
2008519741.tif 000004
【図３】
2008519741.tif 000005
【図４】
2008519741.tif 000006
【図５】
2008519741.tif 000007
【図６】
2008519741.tif 000008
【図７】
2008519741.tif 000009
【図８】
2008519741.tif 000010
【図９】
2008519741.tif 000011
【図１０】
2008519741.tif 000012
【図１１】
2008519741.tif 000013
【図１２】
2008519741.tif 000014
【図１３】
2008519741.tif 000015
【図１４】
2008519741.tif 000016
【国際調査報告】
2008519741.tif 000017
2008519741.tif 000018